【手続補正書】
【提出日】平成15年11月19日(2003.11.19)
【手続補正１】
【補正対象書類名】明細書
【補正対象項目名】特許請求の範囲
【補正方法】変更
【補正の内容】
【特許請求の範囲】
【請求項１】
情報の連続流を表すデータパケットの系列を符号化する方法であって、各データパケットはそれに対応する前記情報流のセグメントを表すセットのペイロード情報を含み、各セットのペイロード情報は複数の対応する個別のペイロード情報部分に類似に分割され；この方法が：
複数の前記データパケットを符号化するステップを含み、前記データパケットの各々の符号化が、それらの前記複数の個々のペイロード情報部分の少なくとも一つを符号化することで、その中に含まれる前記セットのペイロード情報を符号化するステップを含み、この方法がさらに
前記データパケットの追加の一つを符号化するステップを含み、この追加のデータパケットが前記系列内において前記複数の各々のデータパケットの後に続き、このため前記複数のデータパケットは前記追加のデータパケットに先行し、前記追加のデータパケットの符号化がその中に含まれる前記セットのペイロード情報を符号化するステップを含み、前記符号化された追加のデータパケットがさらに前記複数の先行するデータパケット内に含まれる前記ペイロード情報に対する順方向誤り訂正能力を提供する追加のセットのペイロード情報を含み、
前記符号化された追加のデータパケット内に含まれる前記追加のセットのペイロード情報が前記先行する２つあるいはそれ以上のデータパケット内に含まれる前記ペイロード情報の組合せに基づいており、前記追加のセットのペイロード情報が基づく前記先行する少なくとも２つのデータパケット内に含まれる前記ペイロード情報がそれらの異なる個別のペイロード情報部分からのペイロード情報を含むことを特徴とする方法。
【請求項２】
符号化されるべき各データパケット内に含まれる前記セットのペイロード情報がｍ個の対応する個別のペイロード情報部分に類似に分割され、ここでｍは１より大きな整数を表し、前記符号化された追加のデータパケット内に含まれる前記追加のセットのペイロード情報がｍ個の前記複数のデータパケットのｍ個の異なる個別のペイロード情報部分の検査合計を含み、この検査合計が単一パリティ検査ブロック符号に基づき、結果としてレートｍ／（ｍ＋１）順方向誤り訂正符号が得られることを特徴とする請求項１記載の方法。
【請求項３】
前記ｍが２に等しく、前記符号化された追加のデータパケット内に含まれる前記追加のセットのペイロード情報が前記複数のデータパケットの第一の一つの第一の個別のペイロード情報部分と前記複数のデータパケットの第二の一つの第二の個別のペイロード情報部分の検査合計を含み、結果としてレート２／３順方向誤り訂正符号が得られることを特徴とする請求項２記載の方法。
【請求項４】
符号化されるべき各データパケット内に含まれる前記セットのペイロード情報がｍ個の対応する個別のペイロード情報に類似に分割され、ｍは１より大きな整数を表し、前記符号化された追加のデータパケット内に含まれる前記追加のセットのペイロード情報が最大距離分離可能ブロック符号に基づく検査合計を含むことを特徴とする請求項１記載の方法。
【請求項５】
前記追加の一つのデータパケット内に含まれる前記追加のセットのペイロード情報が前記先行する２つあるいはそれ以上のデータパケットとは別のデータパケットに基づく一つあるいはそれ以上の追加のセットのペイロード情報にてインタリーブされることを特徴とする請求項１記載の方法。
【請求項６】
データパケットの符号化された系列を、この系列内の前記一つあるいはそれ以上の前記データパケットが消失したことに応答して、復号するための方法であって、前記データパケットの系列は情報の連続流を表し、それらに対する符号化された順方向誤り訂正データを含み、各符号化されたデータパケットはセットのペイロード情報を含み、このセットのペイロード情報は各々の複数の対応する個別のペイロード情報部分に類似に分割され、各データパケットの前記個別のペイロード情報部分の２つあるいはそれ以上が前記情報流の対応するセグメントを表し、各データパケットの前記個別のペイロード部分の別の一つあるいはそれ以上が前記順方向誤り訂正データを表し、前記データパケットの符号化系列が、
（ａ）複数の前記データパケットを符号化するステップと、
（ｂ）前記データパケットの追加の一つを符号化するステップとを含む方法によって符号化されており、
前記ステップ（ａ）において、前記データパケットの各々の符号化が、それらの前記複数の個々のペイロード情報部分の少なくとも一つを符号化することで、その中に含まれる前記セットのペイロード情報を符号化するステップを含み、
前記ステップ（ｂ）において、前記追加のデータパケットが前記系列内において前記複数の各々のデータパケットの後に続き、このため前記複数のデータパケットは前記追加のデータパケットに先行し、前記追加のデータパケットの符号化がその中に含まれる前記セットのペイロード情報を符号化するステップを含み、前記符号化された追加のデータパケットがさらに前記複数の先行するデータパケット内に含まれる前記ペイロード情報に対する前記順方向誤り訂正データ能力を表す追加のセットのペイロード情報を含み、
前記符号化された追加のデータパケット内に含まれる前記追加のセットのペイロード情報が前記先行する２つあるいはそれ以上のデータパケット内に含まれる前記ペイロード情報の組合せに基づいており、前記追加のセットのペイロード情報が基づく前記先行する少なくとも２つのデータパケット内に含まれる前記ペイロード情報がそれらの異なる個別のペイロード情報部分からのペイロード情報を含み、
この復号方法が：
前記データパケットの前記符号化された追加の一つを復号するステップを含み、前記データパケットの前記追加の一つが前記系列内において前記消失したデータパケットの少なくとも一つの後に続き、これによって、前記データパケットの前記個別のペイロード情報部分の、前記順方向誤り訂正データを表す、少なくとも一つが生成され；この復号方法がさらに
前記データパケットの前記復号された追加の一つの少なくとも一つの前記生成された個別のペイロード情報部分に基づいて前記消失したデータパケットの前記少なくとも一つを再生するステップを含むことを特徴とする方法。
【請求項７】
情報の連続流を表すデータパケットの系列を符号化するための装置であって、各データパケットはそれに対応する前記情報流のセグメントを表すセットのペイロード情報を含み、各セットのペイロード情報は複数の対応する個別のペイロード情報部分に類似に分割され；この装置が：
複数の前記データパケットの各々を、その中に前記複数の個々のペイロード情報部分の少なくとも一つを符号化することによって含まれる前記セットのペイロード情報を符号化することで符号化する符号器を含み、この装置がさらに
前記データパケットの追加の一つを、その中に含まれる前記セットのペイロード情報を符号化することによって符号化する符号器を含み、前記追加のデータパケットが前記系列内において前記複数の各々のデータパケットの後に続き、前記複数のデータパケットがこのために前記追加のデータパケットに先行し、前記符号化された追加のデータパケットがさらに前記複数の先行するデータパケット内に含まれる前記ペイロード情報に対する順方向誤り訂正能力を提供する追加のセットのペイロード情報を含み、
前記符号化された追加のデータパケット内に含まれる前記追加のセットのペイロード情報が前記先行する２つあるいはそれ以上のデータパケット内に含まれる前記ペイロード情報の組合せに基づいており、前記追加のセットのペイロード情報が基づく前記先行する少なくとも２つのデータパケット内に含まれる前記ペイロード情報がそれらの異なる個別のペイロード情報部分からのペイロード情報を含むことを特徴とする装置。
【請求項８】
符号化されるべき各データパケット内に含まれる前記セットのペイロード情報がｍ個の対応する個別のペイロード情報部分に類似に分割され、ここでｍは１より大きな整数を表し、前記符号化された追加のデータパケット内に含まれる前記追加のセットのペイロード情報がｍ個の前記複数のデータパケットのｍ個の異なる個別のペイロード情報部分の検査合計を含み、この検査合計が単一パリティ検査ブロック符号に基づき、結果としてレートｍ／（ｍ＋１）順方向誤り訂正符号が得られることを特徴とする請求項７記載の装置。
【請求項９】
符号化されるべき各データパケット内に含まれる前記セットのペイロード情報がｍ個の対応する個別のペイロード情報に類似に分割され、ｍは１より大きな整数を表し、前記符号化された追加のデータパケット内に含まれる前記追加のセットのペイロード情報が最大距離分離可能ブロック符号に基づく検査合計を含むことを特徴とする請求項７記載の装置。
【請求項１０】
前記追加の一つのデータパケット内に含まれる前記追加のセットのペイロード情報が前記先行する２つあるいはそれ以上のデータパケットとは別のデータパケットに基づく一つあるいはそれ以上の追加のセットのペイロード情報にてインタリーブされることを特徴とする請求項７記載の装置。
【請求項１１】
データパケットの符号化された系列を、この系列内の一つあるいはそれ以上の前記データパケットが消失したことに応答して、復号するための装置であって、前記データパケットの系列は情報の連続流を表し、それらに対する符号化された順方向誤り訂正データを含み、各符号化されたデータパケットはセットのペイロード情報を含み、このセットのペイロード情報は各々の複数の対応する個別のペイロード情報部分に類似に分割され、各データパケットの前記個別のペイロード情報部分の２つあるいはそれ以上が前記情報流の対応するセグメントを表し、各データパケットの前記個別のペイロード部分の別の一つあるいはそれ以上が前記順方向誤り訂正データを表し、前記データパケットの符号化系列が、
（ａ）複数の前記データパケットの各々を、その中に前記複数の個々のペイロード情報部分の少なくとも一つを符号化することでによって含まれる前記セットのペイロード情報を符号化することによって、符号化する符号器と、
（ｂ）前記データパケットの追加の一つを、その中に含まれる前記セットのペイロード情報を符号化することによって符号化する符号器とを含む装置によって符号化されており、
前記追加のデータパケットが前記系列内において前記複数の各々のデータパケットの後に続き、前記複数のデータパケットはこのため前記追加のデータパケットに先行し、前記符号化された追加のデータパケットがさらに前記複数の先行するデータパケット内に含まれる前記ペイロード情報に対する前記順方向誤り訂正データ能力を表す追加のセットのペイロード情報を含み、
前記符号化された追加のデータパケット内に含まれる前記追加のセットのペイロード情報が前記先行する２つあるいはそれ以上のデータパケット内に含まれる前記ペイロード情報の組合せに基づいており、前記追加のセットのペイロード情報が基づく前記先行する少なくとも２つのデータパケット内に含まれる前記ペイロード情報がそれらの異なる個別のペイロード情報部分からのペイロード情報を含み、
この復号装置が：
前記データパケットの前記符号化された追加の一つを復号する復号器を含み、前記データパケットの前記追加の一つが前記系列内において前記消失したデータパケットの少なくとも一つの後に続き、これによって前記データパケットの前記個別のペイロード情報部分の、前記順方向誤り訂正データを表す、少なくとも一つが生成され、この復号器がさらに前記データパケットの前記復号された追加の一つの少なくとも一つの前記生成された個別のペイロード情報部分に基づいて前記消失したデータパケットの前記少なくとも一つを再生することを特徴とする装置。